(57)【要約】【課題】ディスプレイ・モザイクへの各タイルの取り付け及びディスプレイ・モザイクからの取り外しを容易にする。【解決手段】モザイク状となるように、並びに、互いに及び／又は１つ以上の異なるタイプの離散電子モジュールと動作可能に接続するように、設計及び構成された、ディスプレイ・タイルなどの離散電子モジュールを提供する。電子モジュールは、隣接又は対面する電子モジュールを、互いに及び／又はコントローラに動作可能に接続する対応するコネクタ・ビスケットを受け取る、それらの縁部に沿った１つ以上の陥凹レセプタクルを含む。陥凹レセプタクル及びコネクタ・ビスケットのサイズは、前記ビスケットが前記隣接又は対面するディスプレイ・タイルを互いに位置合わせすることに関与するように、精密に整合される。陥凹レセプタクルはディスプレイ・タイルの背面の陥凹内に提供される。【選択図】図４
2017062454.tif 000002
【特許請求の範囲】
【請求項１】
ディスプレイ・タイルが支持構造に固定されたときにディスプレイ・モザイクを形成するために、互いに隣接するように設計及び構成された複数のディスプレイ・タイルであって、各ディスプレイ・タイルは、前記ディスプレイ・タイルのうちの別の１つの同様の周縁と共形的に隣接するように設計及び構成された周縁を含み、各周縁は複数の陥凹レセプタクルを有する、複数のディスプレイ・タイルと、
複数のコネクタ・ビスケットであって、各々が、
第１の電気接続端、及び、
前記第１の接続端と向かい合う第２の接続端を有し、
前記第１及び第２の接続端の各々は、前記ディスプレイ・タイルうちのいずれかの前記陥凹レセプタクルのうちのいずれかと物理的に係合し、これと機能的にインターフェースするように設計及び構成された、
複数のコネクタ・ビスケットと、
を備える、電子ディスプレイ・システムであって、
前記複数のディスプレイ・タイルが前記ディスプレイ・モザイクを形成するように配設される場合、前記ディスプレイ・タイルのうちの隣接するものは、前記陥凹レセプタクルの対応するそれぞれと物理的に係合され、動作可能にインターフェースされた、前記コネクタ・ビスケットによってまとめて電気的に接続される、
電子ディスプレイ・システム。
【請求項２】
前記複数の陥凹レセプタクルは、隣接するタイルを互いに機能的に相互接続するために、前記複数のディスプレイ・タイルの各々にある単なる接続構造である、請求項１に記載の電子ディスプレイ・システム。
【請求項３】
前記複数のディスプレイ・タイルが前記ディスプレイ・モザイクを形成するために配設される場合、前記ディスプレイ・モザイクは全体形状を有し、前記電子ディスプレイ・システムは前記支持構造を含み、前記支持構造は前記モザイクの前記全体形状に準拠するように形状化される、請求項１に記載の電子ディスプレイ・システム。
【請求項４】
前記支持構造は強磁性材料を備え、前記複数のディスプレイ・タイルが前記ディスプレイ・モザイクを形成するように配設される場合、前記ディスプレイ・モザイクは前記支持構造に磁気的に付着される、請求項３に記載の電子ディスプレイ・システム。
【請求項５】
前記ディスプレイ・モザイクは前記支持構造に接着により付着される、請求項１に記載の電子ディスプレイ・システム。
【請求項６】
前記支持構造は強磁性材料を備え、前記ディスプレイ・タイルの各々は、前記ディスプレイ・タイルを前記支持構造に磁気的に付着させるために配置された、少なくとも１つの永久磁石を含む、請求項１に記載の電子ディスプレイ・システム。
【請求項７】
前記複数のコネクタ・ビスケットの各々は、前記コネクタ・ビスケットを前記支持構造に磁気的に付着させるための少なくとも１つの永久磁石を含む、請求項６に記載の電子ディスプレイ・システム。
【請求項８】
前記複数のディスプレイ・タイルの各々は、前記複数のディスプレイ・タイルが前記ディスプレイ・モザイクを形成するように配設される場合、前記支持構造と対面する背面を有し、前記陥凹レセプタクルの各々は前記背面内に形成される陥凹を備える、請求項１に記載の電子ディスプレイ・システム。
【請求項９】
前記複数のディスプレイ・タイルが前記ディスプレイ・モザイクを形成するように配設される場合、前記陥凹レセプタクルの各々は、前記陥凹内に配置され、前記支持構造に面する、複数の電気接点を含む、請求項８に記載の電子ディスプレイ・システム。
【請求項１０】
前記コネクタ・ビスケットの各々の前記第１及び第２の接続端の各々は、前記複数のディスプレイ・タイルが前記ディスプレイ・モザイクを形成するように配設される場合、前記対応する陥凹レセプタクルの前記陥凹内の前記電気接点のうちの対応するそれぞれと接触する複数のスプリング接点を有する、請求項９に記載の電子ディスプレイ・システム。
【請求項１１】
前記ディスプレイ・タイルの各々は、
矩形形状、
前記矩形形状を画定する４つの縁部、及び、
前記４つの縁部の各々について１つの陥凹レセプタクルである、４つの陥凹レセプタクル、
を有する、請求項１に記載の電子ディスプレイ・システム。
【請求項１２】
前記ディスプレイ・タイルの各々は、
矩形形状、
前記矩形形状を画定する４つのコーナー、及び、
前記４つのコーナーの各々について１つの陥凹レセプタクルである、４つの陥凹レセプタクル、
を有する、請求項１に記載の電子ディスプレイ・システム。
【請求項１３】
前記ディスプレイ・タイルの各々は、前記ディスプレイ・モザイクがその配設された環境にイルミネーションを提供するように、イルミネーション・ディスプレイとして設計及び構成される、請求項１に記載の電子ディスプレイ・システム。
【請求項１４】
前記ディスプレイ・タイルの各々は、グラフィカル・ディスプレイ・タイルとして設計及び構成される、請求項１に記載の電子ディスプレイ・システム。
【請求項１５】
前記ディスプレイ・タイルが前記ディスプレイ・モザイクとして配設される場合、前記ディスプレイ・モザイクが単一のグラフィカル・ディスプレイとして機能するように、設計及び構成されるビデオ・ドライバを更に備える、請求項１４に記載の電子ディスプレイ・システム。
【請求項１６】
同様のディスプレイ・タイルに隣接するように、及びディスプレイ・モザイクを形成するためにコネクタ・ビスケットを介して前記同様のディスプレイ・タイルに動作可能に接続されるように、設計及び構成される、ディスプレイ・タイルであって、前記ディスプレイ・タイルは、
前面、背面、及び周縁を有する本体を備え、
前記前面はディスプレイ要素を含み、
前記背面は支持構造と対面するように設計及び構成され、
前記周縁は前記同様のディスプレイ・タイルの周縁と共形的に接するように設計及び構成され、
複数の陥凹レセプタクルは各々、前記周縁に沿って前記背面の陥凹内に形成され、前記コネクタ・ビスケットの一部を共形的に受け取るように設計及び構成される、
ディスプレイ・タイル。
【請求項１７】
前記本体を強磁性支持構造に付着させるために、前記本体に固定された少なくとも１つの永久磁石を更に備える、請求項１６に記載のディスプレイ・タイル。
【請求項１８】
各陥凹レセプタクルは、前記ディスプレイ・タイルが使用のために配設された場合、前記陥凹内に配置され、支持構造に面する、複数の電気接点を含む、請求項１６に記載のディスプレイ・タイル。
【請求項１９】
前記電気接点の各々は平面接点である、請求項１８に記載のディスプレイ・タイル。
【請求項２０】
各陥凹レセプタクルは、前記本体の前面に垂直の方向で、前記ディスプレイ・タイルの同様のタイルのディスプレイ・モザイク内への取り付け及びディスプレイ・モザイクからの取り外しが可能であるように、設計及び構成される、請求項１８に記載のディスプレイ・タイル。
【請求項２１】
前記ディスプレイ要素はグラフィカル・ディスプレイ・デバイスを備える、請求項１６に記載のディスプレイ・タイル。
【請求項２２】
第１及び第２の電子モジュールをまとめて動作可能に接続するように設計及び構成されるコネクタであって、前記第１の電子モジュールは、１つ以上の第１のインターフェース・ポイント及び第１の内部形状を有する第１の陥凹レセプタクルを含み、前記第２の電子モジュールは、１つ以上の第２のインターフェース・ポイント及び第２の内部形状を有する第２の陥凹レセプタクルを含み、前記コネクタは、
互いに間隔が空けられた第１及び第２の端部を有する剛体であって、
前記第１の端部は前記第１の陥凹レセプタクルを対合的に係合するように設計及び構成され、前記第１の端部が前記第１の陥凹レセプタクルと対合的に係合された場合、前記第１の内部形状と共形的に隣接する第１の外部形状を有し、
前記第２の端部は前記第２の陥凹レセプタクルを対合的に係合するように設計及び構成され、前記第２の端部が前記第２の陥凹レセプタクルと対合的に係合された場合、前記第２の内部形状と共形的に隣接する第２の外部形状を有する、
剛体と、
前記剛体の前記第１の端部に配置された少なくとも１つの第３のインターフェース・ポイントであって、前記第１の端部が前記第１の陥凹レセプタクルと対合的に係合された場合、前記第１の電子モジュール上の前記第１の陥凹レセプタクルの前記少なくとも１つの第１のインターフェース・ポイントと動作可能にインターフェースするように設計及び構成される、少なくとも１つの第３のインターフェースと、
前記剛体の前記第２の端部に配置された少なくとも１つの第４のインターフェース・ポイントであって、前記第２の端部が前記第２の陥凹レセプタクルと対合的に係合された場合、前記第２の電子モジュール上の前記第２の陥凹レセプタクルの前記少なくとも１つの第２のインターフェース・ポイントと動作可能にインターフェースするように設計及び構成される、少なくとも１つの第４のインターフェースと、
を備える、コネクタ。
【請求項２３】
前記少なくとも１つの第３のインターフェース・ポイント及び前記少なくとも１つの第４のインターフェース・ポイントは、前記コネクタが前記第１及び第２の陥凹レセプタクルと係合された場合、前記第１と第２の電子モジュール間に動作可能通信を提供するために、互いに動作可能に通信する、請求項２２に記載のコネクタ。
【請求項２４】
アクティブ電子回路を更に備え、前記少なくとも１つの第３のインターフェース・ポイント及び前記少なくとも１つの第４のインターフェース・ポイントは前記アクティブ電子回路と動作可能に通信する、請求項２２に記載のコネクタ。
【請求項２５】
前記アクティブ電子回路は、１つ以上の信号を受信し、前記少なくとも１つの第３のインターフェース・ポイントに出力するように設計及び構成される受信器を備える、請求項２４に記載のコネクタ。
【請求項２６】
前記少なくとも１つの第１から少なくとも１つの第４までのインターフェース・ポイントの各々は、１つ以上の電気接点を備える、請求項２２に記載のコネクタ。
【請求項２７】
前記第１及び第２の電子モジュールが強磁性支持構造によって支持され、前記コネクタが前記第１及び第２の陥凹レセプタクルと係合された場合、前記コネクタを強磁性支持構造に向かって引き付けるように設計及び構成される永久磁石を更に備える、請求項２２に記載のコネクタ。
【請求項２８】
前記第１及び第２の電子モジュールが使用のために配設された場合、前記第１及び第２の電子モジュールの各々は支持構造と対面する背面を有し、
前記第１の陥凹レセプタクルは、前記第１の電子モジュールの前記背面内に形成される第１の陥凹を備え、前記第１の電子モジュールが使用のために配設された場合、前記少なくとも１つの第１のインターフェース・ポイントは前記第１の陥凹内に配置され、前記強磁性支持構造に面し、
前記第２の陥凹レセプタクルは、前記第２の電子モジュールの前記背面内に形成される第２の陥凹を備え、前記第２の電子モジュールが使用のために配設された場合、前記少なくとも１つの第２のインターフェース・ポイントは前記第２の陥凹内に配置され、前記強磁性支持構造に面し、
前記剛体は前面を含み、
前記少なくとも１つの第３のインターフェース・ポイントは前記剛体の前記前面上に配置され、
前記少なくとも１つの第４のインターフェース・ポイントは前記剛体の前記前面上に配置される、
請求項２２に記載のコネクタ。
【請求項２９】
前記第３及び第４のインターフェースの各々はスプリング接点を備える、請求項２８に記載のコネクタ。
【請求項３０】
前記コネクタを前記支持構造に磁気的に固定するために、前記剛体と係合される磁石を更に備える、請求項２９に記載のコネクタ。
【発明の詳細な説明】
【技術分野】
【０００１】
関連出願の相互参照
[0001]  本願は、２０１５年９月２５日出願の「ＥＬＥＣＴＲＩＣＡＬ  ＣＯＮＮＥＣＴＯＲ  ＢＩＳＣＵＩＴＳ  ＡＮＤ  ＭＯＤＵＬＡＲ  ＥＬＥＣＴＲＯＮＩＣＳ  ＵＴＩＬＩＺＩＮＧ  ＳＡＭＥ」という名称の、米国仮特許出願第６２／２３２８３９号の非仮出願である。本願は、参照によりその全体が本明細書に組み込まれている。
【０００２】
[0002]  本発明は一般に、モジュラ式電子回路の分野に関する。特に本発明は、モザイク状ディスプレイ・システムを作成するためのデバイス、及びこれを備えるディスプレイ・モザイク・システムを対象とする。
【背景技術】
【０００３】
[0003]  モジュラ式電子回路、すなわち、システム全体を形成するために互いに電気的に接続された離散構成要素から構成される電子システムは、様々な適用例で使用されている。例えば、スタジアム及び他の大規模パフォーマンス会場用のビデオ・スクリーン、電子広告掲示板、並びに他の電子ディスプレイなどの大型電子回路グラフィカル・ディスプレイは、多くの場合、全複合電子ディスプレイを形成する大規模アレイ又はモザイクに組み立てられる、ディスプレイ・モジュール、又は「ディスプレイ・タイル」から構成される。
【発明の概要】
【発明が解決しようとする課題】
【０００４】
[0003]  構造を支持するように離散ディスプレイ・タイルを固定するための現在の手段は、典型的には、ある種又は別の機械的な留め付けを含み、コントローラを表示するように離散タイルを電気的に接続するための現在の手段は、多くの場合タイルを特定の回転配向にすることが必要な別々の配線ハーネス及び／又は電気コネクタを含む。
【課題を解決するための手段】
【０００５】
[0004]  一実装において、本開示はディスプレイ・タイルが支持構造に固定されたときにディスプレイ・モザイクを形成するために、互いに隣接するように設計及び構成された複数のディスプレイ・タイルを含む、電子ディスプレイ・システムを対象とし、ここで各ディスプレイ・タイルは、ディスプレイ・タイルのうちの別の１つの同様の周縁と共形的に隣接するように設計及び構成された周縁を含み、各周縁は複数の陥凹レセプタクルを有し、複数のコネクタ・ビスケットは各々、第１の電気接続端、及び第１の接続端と向かい合う第２の接続端を有し、ここで第１及び第２の接続端の各々は、ディスプレイ・タイルのうちのいずれかの陥凹レセプタクルのうちのいずれかと物理的に係合し、これと機能的にインターフェースするように設計及び構成され、ここで、複数のディスプレイ・タイルがディスプレイ・モザイクを形成するように配設される場合、ディスプレイ・タイルのうちの隣接するものは、陥凹レセプタクルの対応するそれぞれと物理的に係合され、動作可能にインターフェースされたコネクタ・ビスケットによってまとめて電気的に接続される。
【０００６】
[0005]  別の実装において、本開示は同様のディスプレイ・タイルに隣接するように、及びディスプレイ・モザイクを形成するためにコネクタ・ビスケットを介して同様のディスプレイ・タイルに動作可能に接続されるように、設計及び構成されたディスプレイ・タイルを対象とする。ディスプレイ・タイルは、前面、背面、及び周縁を有する本体を含み、ここで前面はディスプレイ要素を含み、背面は支持構造と対面するように設計及び構成され、周縁は同様のディスプレイ・タイルの周縁と共形的に接するように設計及び構成され、複数の陥凹レセプタクルは各々、周縁に沿って背面の陥凹内に形成され、コネクタ・ビスケットの一部を共形的に受け取るように設計及び構成される。
【０００７】
[0006]  更に別の実装において、本開示は第１及び第２の電子モジュールをまとめて動作可能に接続するように設計及び構成されたコネクタを対象とし、ここで第１の電子モジュールは、１つ以上の第１のインターフェース・ポイント及び第１の内部形状を有する第１の陥凹レセプタクルを含み、第２の電子モジュールは、１つ以上の第２のインターフェース・ポイント及び第２の内部形状を有する第２の陥凹レセプタクルを含む。コネクタは、互いに間隔が空けられた第１及び第２の端部を有する剛体であって、ここで第１の端部は第１の陥凹レセプタクルを対合的に係合するように設計及び構成され、第１の端部が第１の陥凹レセプタクルと対合的に係合された場合、第１の内部形状と共形的に隣接する第１の外部形状を有し、第２の端部は第２の陥凹レセプタクルを対合的に係合するように設計及び構成され、第２の端部が第２の陥凹レセプタクルと対合的に係合された場合、第２の内部形状と共形的に隣接する第２の外部形状を有する、剛体と、剛体の第１の端部に配置された少なくとも１つの第３のインターフェース・ポイントであって、第１の端部が第１の陥凹レセプタクルと対合的に係合された場合、第１の電子モジュール上の第１の陥凹レセプタクルの少なくとも１つの第１のインターフェース・ポイントと動作可能にインターフェースするように設計及び構成された、少なくとも１つの第３のインターフェースと、剛体の第２の端部に配置された少なくとも１つの第４のインターフェース・ポイントであって、第２の端部が第２の陥凹レセプタクルと対合的に係合された場合、第２の電子モジュール上の第２の陥凹レセプタクルの少なくとも１つの第２のインターフェース・ポイントと動作可能にインターフェースするように設計及び構成された、少なくとも１つの第４のインターフェースと、を含む。
【０００８】
[0007]  本発明を例示するために、図面は本発明の１つ以上の実施形態の態様を示す。しかしながら、本発明は図面内に示された詳細な配置構成及び働きに限定されないことを理解されたい。
【図面の簡単な説明】
【０００９】
【図１Ａ】タイルの前面及び２つの陥凹レセプタクルで係合された２つのコネクタ・ビスケットを示す、本開示に従って作成された例示のディスプレイ・タイルの等角図である。
【図１Ｂ】タイルの後面及び２つの陥凹レセプタクルで係合された２つのコネクタ・ビスケットを示す、図１Ａのディスプレイ・タイルの拡大等角図である。
【図２Ａ】コネクタ・ビスケットを介してまとめて動作可能に接続された４つのディスプレイ・タイルの例示のアセンブリの正面図である。
【図２Ｂ】４つのコネクタ・ビスケットを介してまとめて動作可能に接続された４つのディスプレイ・タイルを示す、図２Ａのアセンブリの拡大後面図である。
【図３Ａ】図１Ａから２Ｂのコネクタ・ビスケットのうちのいずれかとして使用可能なその前面を示す、コネクタ・ビスケットの等角図である。
【図３Ｂ】その後面を示す、図３Ａのコネクタ・ビスケットの等角図である。
【図４】個別タイルのモザイクへの取り付け及びモザイクからの取り外しの容易さを例示するために、モザイクから解放されたディスプレイ・タイルのうちの１つを示す、本発明の例示のディスプレイ・モザイク・システムの部分等角図である。
【図５】壁に係合された本発明に従って作成された電子回路隠し仕上げトリム・アセンブリの横断面図／部分概略図である。
【図６】コネクタ端部の前面及び背面を示すためにめくられたコネクタの一方の端部を示す、本発明の例示のフレキシブル電気コネクタ・アセンブリの図である。
【図７Ａ】壁上に配置構成され、並列及び積層構成でまとめて電気的に相互接続された４つの同一の離散矩形電子モジュールの部分線図／部分正面図である。
【図７Ｂ】壁上に配置構成され並列構成でまとめて電気的に相互接続された４つの同一の離散矩形電子モジュールの部分線図／部分正面図である。
【図７Ｃ】壁上に配置構成され並列及び積層構成でまとめて電気的に相互接続された４つの同一の離散階段状電子モジュールの、部分線図／部分正面図である。
【図７Ｄ】壁上に配置構成され並列構成でまとめて電気的に相互接続された２つの同一の離散階段状電子モジュール及び２つの同一の離散矩形電子モジュールの部分線図／部分正面図である。
【図８】本発明の態様に従って作成されたアクティブ・コネクタ・ビスケットの高水準ブロック図である。
【図９Ａ】ディスプレイ・タイルが、それらのコーナーに配置され対応するコネクタ・ビスケットを係合するように設計及び構成された陥凹レセプタクルを有するモザイク状ディスプレイの一部の正面図である。
【図９Ｂ】ディスプレイ・タイル及びコネクタ・ビスケットの後面を示す、図９Ａのモザイク状ディスプレイの一部の後面図である。
【図１０】ディスプレイ・タイル（例示のために半透明として示される）が、それらのコーナーに配置され対応する回転対称コネクタ・ビスケットを係合するように設計及び構成された代替陥凹レセプタクルを有するモザイク状ディスプレイの一部を示す、前面／概略図である。
【発明を実施するための形態】
【００１０】
[0008]  いくつかの態様において、本開示は電力及び／又はビデオ信号、較正信号、色制御信号などの他の信号を１つのモジュールから別のモジュールへ、及び／又は、１つ以上のコントローラから１つ以上のモジュールへと伝搬する、１つ以上のコネクタ・ビスケットを使用して、互いに動作可能に接続された複数の離散ディスプレイ・タイル及び／又は複数の離散コントローラ・モジュールなどの複数の離散電子モジュールからなる、モジュラ式電子システムを対象とする。電子モジュール及びコネクタ・ビスケットの構成に応じて、コネクタ・ビスケットの使用は様々な特典を有することが可能であり、そのうちのいくつかを本明細書で例示する。
【００１１】
[0009]  いくつかの実施形態において、離散電子モジュールはディスプレイ・モザイクを備えるためのディスプレイ・タイルである。こうしたディスプレイ・タイルの各々は、大型複合ディスプレイ（例えばビデオ・ディスプレイ又は他のグラフィカル・ディスプレイ）の１つ以上又は多くのピクセル又は１つ以上のピクセルの一部を形成するか、或いは、より大型の複合非グラフィカル型発光モザイクの一部を形成する１つ以上の発光素子又は１つ以上の非発光素子を含むことができる。便宜上、作業上の関係でまとめてクラスタ化された離散電子モジュールのグループを本明細書では「モザイク」と呼び、離散電子モジュールは美術的なタイル・モザイクのタイルに例えられる。しかしながら、本開示及び本特許請求の範囲では「モザイク」という用語及び同様の用語の使用は、用語が暗示し得る他の制限を含むものと解釈されるべきではない。むしろ、本明細書及び添付の特許請求の範囲でのその使用は、個別モジュールの形状及び／又は特徴に関係なく、こうしたモジュールの作業グループを形成するために配設され互いに接続された、例えばディスプレイ・タイルなどの離散電子モジュールに限定される。更に便宜上、「イルミネーション」という用語は、一般的な照明及び背面照明などのビデオ又は他のグラフィカル・ディスプレイ・デバイスとして機能していないディスプレイ要素及びディスプレイ・モザイクと、画像信号を介して電子的に画像を表示するビデオ及びグラフィカル・ディスプレイ・デバイスとを区別するために、本明細書及び添付の特許請求の範囲で使用される。補足的に、「ディスプレイ」という用語は、画像信号を介して電子的に画像を表示するビデオ及びグラフィカル・ディスプレイ・デバイス並びにイルミネーション・デバイスを示すために、本明細書及び添付の特許請求の範囲で使用される。したがって、グラフィカル・ディスプレイ・デバイス及びイルミネーション・ディスプレイ・デバイスは、どちらも「ディスプレイ・デバイス」属の種である。
【００１２】
[0010]  本開示のグラフィカル・ディスプレイ・タイルを使用して作成可能なモザイク状ディスプレイの例は、電子ビデオ・ディスプレイ、電子スコアボード、電子広告板、電子標識、電子コラージュ、タッチスクリーン・ディスプレイ（任意の好適なタッチスクリーン技術に基づく）、及びそれらの任意の組み合わせを含むがこれらに限定されない。「電子コラージュ」によると、コラージュ内の各ディスプレイ・タイル又は複数のディスプレイ・タイルのサブセットは全体画像（例えば第１の写真）を表示するが、別のディスプレイ・タイル又は他のタイルのサブセットは異なる全体画像（例えば第１の写真とは異なる第２の写真）を表示する。各グラフィカル・ディスプレイ・タイルの各ディスプレイ要素は、発光素子（例えば背面照明、側面照明、放射性など）及び非発光素子（例えば反射）を含む、問題のグラフィカル・ディスプレイに好適な任意のディスプレイ要素とすることができる。発光素子の例は、とりわけ、液晶ディスプレイ（ＬＣＤ）デバイス、電子ペーパー・ディスプレイ・デバイス、プラズマ・ディスプレイ・デバイス、発光ダイオード（ＬＥＤ）ディスプレイ・デバイス、白熱ディスプレイ・デバイス、及び背面投射型ディスプレイ・デバイス（デジタル・ライト・プロセッサ（ＤＬＰ）に基づくディスプレイ・デバイスなど）を含む。非発光素子の例は、とりわけ、コレステリックＬＣＤ、電気泳動ディスプレイ、エレクトロクロミック・ディスプレイ、エレクトロウェッティング、光屈折、干渉、及び／又は回析ディスプレイなどの反射ディスプレイを含む。イルミネーション・ディスプレイ・モザイクの例は、写真用及び映写用照明、室内イルミネーション、装飾用イルミネーション、及び固定グラフィカル・ディスプレイ用背面照明のためのパネルを含む。こうした各ディスプレイ・タイルのうちの各イルミネーション・ディスプレイ要素は、とりわけ、１つ以上のＬＥＤパネルなどの１つ以上の背面照明デバイス、ＬＥＤストリップなどの１つ以上の縁部照明デバイス、１つ以上の発光コンデンサ・パネル、及び白熱デバイスを含むことができる。根本的に、それ／それらがタイル形式で実装可能である以外、本開示のディスプレイ・タイルに含まれることが可能なディスプレイ素子の技術に制限はない。
【００１３】
[0011]  いくつかの実施形態において、離散電子モジュールは、とりわけ、磁力、接着、又は機械的な留め付け、及びそれらの任意の好適な組み合わせなどの様々な付着手段のうちのいずれかを使用して、平坦、湾曲、又はその他に形状化された基板、格子スタイルのグリッド、又は他の構造を含むことが可能な、好適な支持構造に付着させるように設計及び構成される。根本的に、支持構造には制限がないことを理解されたい。例えばこれは、建物又は他の固定又は移動性の可住構造（例えば船、飛行機、飛行船など）の壁、天井、床、又は他の構成要素であり得るか、或いはこれは、日用製品（例えば冷蔵庫）又は、問題の離散電子モジュールを支持するために特別に構築された注文構造、とりわけ、言及するには数が多すぎる多数のその他であり得る。いくつかの実施形態において、支持構造は、離散電子モジュールのうちの少なくともいくつかの強磁性支持構造に対する磁力によって電子モジュールが付着される、非磁性化強磁性材料（例えばスチール）を含むシート素材で構成される。これは例えば、離散電子モジュールのうちのいくつか又はすべてにこうした装備されたモジュールを非磁性化強磁性支持構造に引き付ける１つ以上の永久磁石を提供することによって達成可能である。いくつかの実施形態において、支持構造は、１つ以上の磁性化強磁性材料のうちの少なくとも一部で構成され得、離散電子モジュールのうちのいくつか又はすべては、各々、こうした装備されたモジュールを磁性化支持構造に引き付けるための非磁性化強磁性材料を含むことができる。前述のように、離散電子モジュールを支持構造に引き付けるために磁力を使用することができるが、他の付着手段が使用可能である。他の付着手段の例は、とりわけ、接着ストリップ、面ファスナ、両面テープ、プッシュ・スナップ・ボタン機構、及びスナップ・クリップを含む。
【００１４】
[0012]  いくつかの態様において、本開示は別の電子モジュールの同様の形状の周縁部に隣接又は対面するように設計及び構成された少なくとも１つの周縁部を各々が有する、離散電子モジュールを対象とする。電子モジュールの隣接／対面縁部は、各々、隣接／対面電子モジュールをまとめて動作可能に接続する、及び／又は、電子モジュールと制御／電力電子回路とを動作可能に接続する、コネクタ・ビスケットを受け入れるように設計及び構成された、少なくとも１つの陥凹レセプタクルを含む。加えてコネクタ・ビスケットは、電子モジュールを互いに適切に位置合わせする際に役立つように設計及び構成することも可能である。いくつかの実施形態において、各電子モジュールは、所望に応じて、例えばグラフィカル・ディスプレイ・モザイク又はイルミネーション・ディスプレイ・モザイクのいずれかのために構成可能な、ディスプレイ・タイルである。いくつかのインスタンス化において、こうしたディスプレイ・タイルは、互いに隣接することが望まれる周縁部が互いに共形的に隣接／対面するのに好適に形状化される限り、任意の所望のサイズ及び形状とすることが可能である。形状は、矩形（例えば正方形）、六角形、三角形、階段、波状、ジグザグなど、互いに共形的に隣接／対面可能な実質的に任意の形状を含むことができる。いくつかのインスタンス化において、特定の適用例のためのディスプレイ・タイルのすべてが同じサイズとすることが可能であるが、他のインスタンス化では、それらは異なるサイズとすることが可能である。いくつかのインスタンス化において、すべてのディスプレイ・タイルのディスプレイ・デバイスが同じであるか、又はそれらが設計者の意思で異なるものとすることができる。
【００１５】
[0013]  いくつかの実施形態において、ディスプレイ・タイル１つに付きわずか１つの周縁部に、各々が対応するコネクタ・ビスケットの一部を受け入れるための１つ以上の陥凹レセプタクルを提供することが可能であるが、他の実施形態では、２つ、３つなど、又はすべての周縁部が、各々が対応するコネクタ・ビスケットの一部を受け入れるための各々１つ以上の陥凹レセプタクルを有することができる。本開示のコネクタ・ビスケットを利用することは離散電子モジュール上に陥凹レセプタクルのみを提供することが必要であり、これが、取り扱い、パッキング、及び出荷を容易にする平滑な及び／又はいずれの突起もない周縁部を有する、並びに、近接モジュールを妨げる必要なしに単純な取り付け及び取り外しを可能にする、ディスプレイ・タイル（又は他の離散電気モジュール）につながり得ることに留意されたい。正方形などの回転対称であり、すべての周縁部上に同じ数の陥凹レセプタクルを有するディスプレイ・タイルの場合、タイルは任意の回転配向で任意の特定のモザイク内に取り付け可能なように構成できることにも留意されたい。添付の図面に示し以下で説明する例からわかるように、本開示の陥凹レセプタクルは必ずしもすべての側面上で対応する離散電子モジュールの一部によって境界を画する必要がない。例えば添付の図面に示されるように、本開示の陥凹レセプタクルは、電子モジュールの周縁部で離散電子モジュールの背面に形成された陥凹によって画定され得る。
【００１６】
[0014]  前述のように、本開示のコネクタ・ビスケットを使用して、隣接／対面する電子モジュールをまとめて動作可能に接続すること、並びに／或いは、こうしたモジュールをまとめて、及び／又は任意の好適な通信／電送モードを使用して制御／電力電子回路に、動作可能に接続することが可能である。通信モードの例は、アナログ及びデジタル（例えば直列又は並列）モードなどのワイヤード・モード、並びに、光、周波数（ＲＦ）、及びマイクロ波モードなどのワイヤレス・モードを含む。電送モードの例は、ワイヤード及びワイヤレス・モードを含み、後者の例は磁気誘導電送である。関与するモードに応じて、各コネクタ・ビスケットは、電子モジュールの陥凹レセプタクルの対応するそれぞれ動作可能に整合されたインターフェース・ポイントとインターフェースする、各モードについて１つ以上の「インターフェース・ポイント」を含むことになる。動作可能に整合されたインターフェース・ポイントの例は、とりわけ、ワイヤード・モード用の電気的接点、光モード用の光エミッタ及び対応する光検出器、ＲＦモード用のＲＦ送信器及び受信器、マイクロ波モード用のマイクロ波送信器及び受信器、並びに、磁気誘導モード用の電磁石及び誘導コイルを含む。当業者であれば、コネクタ・ビスケット並びに任意の選択された通信及び／又は電送モード用の対応する陥凹レセプタクル上に、動作可能に整合されたインターフェース・ポイントをどのように実装するかを、容易に理解されよう。
【００１７】
[0015]  いくつかの実施形態において、及び問題の電子モジュールの動作に関連して、各コネクタ・ビスケットは、特定の設計に応じて単一方向又は双方向に、１つの電子モジュールから別の電子モジュールへ制御及び／又は電力信号を渡す、受動パススルー・デバイスとして機能することができる。いくつかの実施形態において、各コネクタ・ビスケットは、例えば所望の機能を提供するように設計及び構成されたオンボード電子回路を介してアクティブ・デバイスとして機能することができる。本開示のコネクタ・ビスケットが提供可能なアクティブ機能の例は、信号処理（例えば条件付け、変換、増幅など）、信号ルーティング、電力変換（例えばステップ電圧／電流）及び電力分散、オフボード・コントローラとの通信、他のコネクタ・ビスケットとの通信、並びにそれらの任意の組み合わせを含むがこれらに限定されない。アクティブ・コネクタ・ビスケットのいくつかの実施形態において、すべてのコネクタ・ビスケットは同じ機能を有することができるが、他の実施形態において、１つ又はいくつか、但しすべてよりは少ないコネクタ・ビスケットは、他のコネクタ・ビスケットに関して強化された機能を有することができる。例えば１つ以上の強化コネクタ・ビスケットは、マスター又は他の機能制御コネクタ・ビスケットとして動作可能であるが、非強化コネクタ・ビスケットは、スレーブ又は他の機能被制御コネクタ・ビスケットとして動作可能である。
【００１８】
[0016]  前述のように、隣接する電子モジュールをまとめて動作可能に接続することに加えて、コネクタ・ビスケット及び対応するそれぞれの陥凹レセプタクルは、隣接する電子モジュールを互いに対して位置合わせする際に支援するように設計及び構成することができる。これはモジュールが磁気的に支持構造と係合される場合など、例えば支持構造に対してモジュールを容易に移動させることができるように、電子モジュールが支持構造にマウントされる場合に有用な可能性がある。隣接する電子モジュール間での問題の位置合わせは、１つの隣接する周縁部を他の周縁部に対してスライドさせることによって変更可能な「縁部」位置合わせ、隣接する周縁部で電子モジュールの面の平面をお互いにより近くに、又は互いにより離れるように移動することによって変更可能な「面」位置合わせ、対面する電子モジュール間の間隔又はギャップがもしもあればこれを制御するギャップ・セッティング、或いはそれらの任意の組み合わせとすることができる。２つの同一の正方形電子モジュールが平面支持構造にマウントされる場合、完全な縁部位置合わせは、隣接部のいずれかの側面上の隣接周縁部に垂直な電子モジュールの周縁部が互いに同一平面上にある場合に発生可能であり、完全な面位置合わせは、電子モジュールの面が隣接周縁部に沿って互いに同一平面上にある場合に発生可能である。
【００１９】
[0017]  本開示のコネクタ・ビスケットの位置合わせ機能は、対応する面及び／又は縁部位置合わせ機能を提供するために、必要な方向のうちのいずれか又は両方の滑り共形嵌めを有するように、陥凹レセプタクルの内部及びその内部に受け入れられる電気コネクタ・ビスケットの対応する部分を、形状化及びサイズ決定することによって、実施可能である。こうした形状化及びサイズ決定の提供の詳細な例を添付の図面に示し、以下で説明する。コネクタ・ビスケットをレセプタクルに挿入する際、及び位置合わせ機能を実施する際に、ユーザを支援するために、本開示のコネクタ・ビスケットのレセプタクル係合部分及び対応する陥凹レセプタクルにはテーパー／傾斜表面が提供可能である。
【００２０】
[0018]  いくつかの実施形態において、各コネクタ・ビスケット及び対応する陥凹レセプタクルのペアは、コネクタ・ビスケットが対応する陥凹レセプタクルと十分に係合された場合、互いに対して緊密に隣接する電子モジュールの対応する周縁部によってコネクタ・ビスケットが完全に見えなくなるように、設計及び構成される。しかしながら、他の実施形態において、陥凹レセプタクルの（ビスケット挿入軸に沿った）深さ及び／又は構成、並びに、コネクタ・ビスケットの（ビスケット挿入軸に沿った）長さ及び／又は構成は、離散電子モジュールの対面する周縁部間で任意の所望のギャップを維持するために、正確に選択することができる。例えば、特定のアプリケーションが、すべての直接近接する離散電子モジュール間に一貫した５ｍｍギャップを必要とする場合、陥凹レセプタクル及びコネクタ・ビスケットは、そのギャップを提供するようにサイズ決定及び／又は形状化することができる。
【００２１】
[0019]  この接続において、近接する電子モジュール間に相対的に大きな間隔が望ましい場合、単一のコネクタ・ビスケットの長さよりも長い長さを有する延長アセンブリを提供するために、ユーザが２つのコネクタ・ビスケットをまとめて接合できるようにする接続エクステンダを、システムに提供することが可能なことに留意されたい。各々のこうした接続エクステンダは、接続エクステンダによって接合された２つのコネクタ・ビスケット上の対応するインターフェース・ポイントとインターフェースする、それ独自のインターフェース・ポイント（例えば、電気接点、光インターフェース、ＲＦインターフェース、マイクロ波インターフェース、磁気インターフェースなど、及びそれらの任意の組み合わせ）を有することができる。これらのインターフェース・ポイント及び任意の対応する相互接続導体は、延長アセンブリによって互いに接続された離散電子モジュールとの間でビスケットを介して流れる信号のための、単に１つ以上のパススルーとして動作することになる。いくつかの実施形態において、接続エクステンダは、それぞれ２つのコネクタ・ビスケットを受け入れるための向かい合う端部上に、２つの陥凹レセプタクルを有することができる。添付の図面の例示の陥凹レセプタクルとの関連において、対応する接続エクステンダは、接続エクステンダの背面から見た場合、ダブル・ウィッシュボーンのように見える可能性がある。
【００２２】
[0020]  本開示のコネクタ・ビスケットが、１つの離散電子モジュールから別の及び／又は本来の通信インターフェース（例えば電気、光、ＲＦ、マイクロ波、磁気など）に搬送することが必要な、信号の数に応じて、コネクタ・ビスケットは、電子モジュールのうちの１つで対応する陥凹レセプタクルを係合する各々の端部上に、１つ以上のインターフェース・ポイントを含むことができる。インターフェース・ポイントが電気接点であるいくつかの実施形態において、各電気接点は、陥凹レセプタクルのうちの１つの対応する電気接点を接触的に係合するように設計及び構成される。コネクタ・ビスケット上の電気接点は、陥凹レセプタクルの対応する電気接点との積極的な接触を実施するのに好適な任意のタイプとすることができる。例えば、陥凹レセプタクルの電気接点が平面タイプである場合、電気コネクタ上の電気接点は、とりわけ当分野で知られた、カンチレバー型スプリング・タイプ、バイアス・ピン・タイプ（「ポゴ・ピン」）、アーチ型スプリング・タイプ（「リーフ・スプリング」）などのバイアス・タイプとすることができる。当業者であれば、接点タイプが逆であり得、平面接点が電気コネクタ・ビスケット上にあり、バイアス接点が陥凹レセプタクルの一部であることが、容易に理解されよう。
【００２３】
[0021]  平面タイプ電気接点がインターフェース・ポイントに使用される場合、それらは任意の好適な位置及び配向であり得る。例えば平面電気接点は、電気コネクタ・ビスケットがそれに沿って陥凹レセプタクルに挿入されるビスケット挿入軸に対して、平行又は垂直のいずれかであり得る。前者の場合、対応するバイアス・タイプ接点の係合は、スライド係合を含み、後者の場合、対応するバイアス・タイプ接点の係合は、圧縮係合を含む。いくつかの実施形態において、挿入軸に対して垂直に配向された平面接点で潜在的に発生し得るように、バイアス接触のバイアスが離散電子モジュールを互いに遠くに押しやるのを避けるために、ビスケット挿入軸に対して平面電気接点を平行に、又は概して平行に配向することが、望ましい可能性がある。当業者であれば理解されるように、平面接点をビスケット挿入軸に対して平行に配向すること、及びバイアス・タイプ接点を使用することで、結果として、コネクタ・ビスケットを定位置に保持するバイアス・タイプ接点のバイアスを生じさせることができる。ピン及びブレードなどの他のタイプの電気接点を、追加又は代替として使用することができる。電気接点は、同じ接続に対して１つ以上の接点が存在するように、十分な数で提供できることに留意されたい。余剰／冗長な電気接点を伴う場合、電流がより高くなる可能性、及び／又は周波数が増加する可能性がある。
【００２４】
[0022]  いくつかの実施形態において、本開示のコネクタ・ビスケットの一方の端部上のいくつか又はすべての機能インターフェース・ポイントは、コネクタ・ビスケットの他方の端部上の少なくとも１つのインターフェース・ポイントと、動作可能な通信状態にあり得る。動作可能な通信は、例えば電気又は光の導体を介した直接通信、並びに／或いは、コネクタ・ビスケットが、修正済み信号を提供する前に１つ以上の信号を１つの電子モジュールから別の電子モジュールに修正するため、及び／又は、とりわけ別のモジュールに提供するために１つのモジュールからの１つ以上の信号から１つ以上の新しい信号を生成するための、電子回路を含む場合などの間接的通信を含むことができる。いくつかの実施形態において、コネクタ・ビスケット上のいくつか又はすべての機能インターフェース・ポイントはパススルー・タイプでない場合があり、それらの信号は接続された電子モジュールからではなく、リモート・ソースからワイヤレスに受信された１つ以上の信号から発生している。本開示のコネクタ・ビスケットが１つの電子モジュールから別の電子モジュールへと搬送可能であるか、又は非パススルー様式で電子モジュールへと提供可能である信号の例は、とりわけ、電力信号、制御信号、クロック信号、及びデータ信号、並びにそれらの任意の組み合わせを含む。
【００２５】
[0023]  電子モジュールが磁力によって強磁性基板上にマウントされた実施形態において、各コネクタ・ビスケットは、コネクタ・ビスケットを非磁性化基板に引き付けるための１つ以上の磁石を含み得るか、又は代替として、及び強磁性支持材料が磁性化された場合、コネクタ・ビスケットが基板に引き付けられるように、非磁性化強磁性材料を含み得る。加えて、こうした磁気特徴が本開示のコネクタ・ビスケットに使用される場合、存在する場合はコネクタ・ビスケット及び陥凹レセプタクルの電気接点を互いに堅く接触した状態で保持するために、必要であれば支持基盤方向への磁力を活用することができる。このシナリオでは、コネクタ・ビスケット上の電気接点は、強磁性支持基板に面するビスケット・コネクタの面上に配置され、ビスケットによって接続されている離散電子モジュール上の対応する電気接点は、強磁性支持基板に背を向けた陥凹レセプタクルの面上に配置される。この配置構成の例が、添付の図面のうちのいくつかに示されている。
【００２６】
[0024]  モジュラ式電子システムが、マルチタイル複合ディスプレイ、又はモザイクを形成する離散ディスプレイ・タイルを含み、マルチタイル・ディスプレイが建物の完成した室内の壁又は天井などで使用されるいくつかの実施形態において、モジュラ式電子システムはマルチタイル・ディスプレイの離散ディスプレイ・タイルのうちの１つ以上に動作可能に結合された１つ以上の電源、並びに、ディスプレイ・コントローラ及び／又はデータ・ソースなどの１つ以上の他の構成要素を含むことができる。例えば、これらの構成要素の各々はとりわけ、装飾幅木のキャビティ、チェア・レールのキャビティ、又は装飾クラウン・モールディングのキャビティ、或いはそれらの任意の組み合わせなどの仕上げ又は装飾トリムのキャビティ内に配置することができる。いくつかの実施形態において、トリムは複数の構成要素で構成することができる。例えば電子回路包含トリムは、問題の壁、床、及び／又は天井に付着する基部、基部に取り外し可能に付着し、少なくとも部分的に電子回路包含キャビティを形成するヒート・シンク、並びにアセンブリに仕上がった様子を提供するために基部及び／又はヒート・シンクに取り外し可能に付着するカバーを含むことができる。こうしたカバーは、例えば既存の従来のトリムにマッチするようにペイントするか又はその他の方法で所望に応じて仕上げることができる。いくつかの実施形態において、基部をなくすこと、及び／又は、カバーをヒート・シンクに統合するか又は永続的に付着させることが可能である。いくつかの実施形態において、離散ディスプレイ・タイルのうちの１つ以上は、本開示の１つ以上のコネクタ・ビスケットを介して、こうしたトリム・アセンブリ内の電子回路に動作可能に接続することができる。他の実施形態において、電気接続は任意の他の好適な様式で作成することができる。更に他の実施形態において、ＲＦ、マイクロ波、又は光などの他の形の通信を使用し、それによって離散ディスプレイ・タイルと対応する電子回路との間の物理的接続をなくすことができる。
【００２７】
[0025]  上記のように、添付の図面は、電子モジュール、コネクタ・ビスケット、電子モジュール・アセンブリ及びサブアセンブリ、並びに電子回路隠し仕上げトリムの例示の実施形態を示す。これらの例は、上記で説明した特徴及び態様のうちの少なくともいくつかの視覚例を提示するために主として提供されるものであるため、いかなる場合も限定的であると見なすべきではない。加えて、以下で説明する実施形態のうちのいずれの特徴又は態様も具体的に対象とされていない場合、上記の対応する特徴又は態様の説明の変形及び代替を含む一般的な説明は、以下に提供する明示的な説明に反しない範囲でその特徴又は態様に適用するものとする。
例示的実施形態
【００２８】
[0026]  次に図を参照すると、図１Ａ及び図１Ｂは、本発明の態様に従って作成される例示の離散電子モジュール、ここではディスプレイ・タイル１００を示す。この例では、ディスプレイ・タイル１００はバッキング部１０４及びアクティブ部１０８を含む。この例におけるバッキング部１０４は、これがアクティブ部１０８用のヒート・シンクとして動作できるようにするために、比較的高い熱伝導性を有する材料で作成される。この例におけるアクティブ部１０８は、ディスプレイ・タイル１００をより大型の複合ビデオ・ディスプレイ（図示せず）のアクティブ構成要素にするフラット・パネル・グラフィカル・ディスプレイ・デバイスを備える。こうしたディスプレイ・デバイスは、概要の項で前述したディスプレイ技術のうちのいずれかなどの任意の好適なディスプレイ技術に基づくものとすることができる。例示的であるが非限定的な一インスタンス化において、ディスプレイ・タイルの全面は１５０ｍｍ×１５０ｍｍである。
【００２９】
[0027]  図１Ａは主として、ディスプレイ・タイル１００の前面１１２を示し、これは配設された場合、ディスプレイ・タイル１００がその一部となる複合ビデオ・ディスプレイを視聴するときに視聴者が見るディスプレイ面である。この例では、ディスプレイ・タイル１００は磁気的にマウント可能なタイルであり、磁気的マウントは、背部１０４（図１Ｂ）に固定される永久磁石のセット１１６によって実施される。当業者であれば容易に理解されるように、様々な離散永久磁石のいずれも永久磁石１１６に使用可能である。図１Ａ及び図１Ｂには示されていないが容易に想定され得るのが、非磁性化強磁性金属シート又は金属格子などの強磁性支持構造であり、複合ビデオ・ディスプレイ内にディスプレイ・タイルが配設される場合、これに対して永久磁石１１６が引き付けられる。
【００３０】
[0028]  図１Ｂは、この例ではディスプレイ・タイル１００がタイルの４つの周縁部１００（１）から１００（４）の各々の中心にある４つの陥凹レセプタクル１２０（１）から１２０（４）を有することを示し、そのうちの２つは同一のコネクタ・ビスケット１２４（１）及び１２４（２）のペアによって係合されているように示され、これは図３Ａ及び図３Ｂに示され以下で説明するコネクタ・ビスケット３００と同じか又は同様である。図１Ｂに示された実施形態において、各陥凹レセプタクル１２０（１）から１２０（４）は、本来ディスプレイ・タイル１００内の陥凹１２８（１）から１２８（４）によって形成され、これは、陥凹の深さがバッキング部の厚みに等しいか又はこれより大きい場合、ディスプレイ・タイルの対応する周縁部に沿ってバッキング部１０４内のノッチによって形成され得る。
【００３１】
[0029]  図１Ｂに見られるように、この例では、各陥凹レセプタクル１２０（１）から１２０（４）は、ディスプレイ・タイル１００のアクティブ部１０８上に１６の平面電気接点１３２（混乱を避けるためにいくつかのみがラベル付けされ、レセプタクル１２０（１）及び１２０（２）についてのみ可視）を含み、図１Ａに見られるように、各コネクタ・ビスケット１２４（１）及び１２４（２）は、ここではリーフ・スプリング・タイプの１６の対応する電気接点１３６（混乱を避けるためにいくつかのみがラベル付けされる）を含み、コネクタ・ビスケットが対応する陥凹レセプタクルに十分に係合された場合に、１６の平面接点を係合する。当業者であれば、任意の他の好適な数の電気接点が、特定の設計に従って、アクティブ部１０８及びコネクタ・ビスケット１２４（１）及び１２４（２）に提供可能であることを容易に理解されよう。電気接点１３２は、アクティブ部１０８上にある必要がないことに留意されたい。例えば、各陥凹レセプタクル１２０（１）から１２０（４）の深さがバッキング部１０４の厚みより小さい場合、電気接点１３２はバッキング部上に提供可能である。別の例として、ディスプレイ・タイル１００が、別の層又は他の構造を含むなどによって、示された構築物とは異なる構築物を有するものである場合、電気接点１３２をこうした他の層又は他の構造上に提供することができる。平面接点１３２、並びにコネクタ・ビスケット１２４（１）及び１２４（２）などの対応するコネクタ・ビスケットは、ディスプレイ・タイル１００が別のディスプレイ・タイル（図示せず、但し図２Ａ及び図２Ｂを参照のこと）、或いは、とりわけビデオ・コントローラ、データ・ソース、及び／又は電源などの全複合ビデオ・ディスプレイディスプレイ・システムの他の構成要素（図示せず）と通信できるようにするものである。例示された実施形態において、及び図１Ｂに見られるように、各コネクタ・ビスケット１２４（１）及び１２４（２）は、そのビスケットを前述の金属シート又は金属格子などの非磁性化強磁性支持構造に磁気的に引き付けるための永久磁石１４０を含む。
【００３２】
[0030]  図２Ａ及び図２Ｂは、ここでは、各々が図１Ａ及び図１Ｂに示されたコネクタ・ビスケット１２４（１）及び１２４（２）と同一である、４つのコネクタ・ビスケット２０８（１）から２０８（４）を介してまとめて電気的に接続された、図１Ａ及び図１Ｂのディスプレイ・タイル１００と各々が物理的に同一である、４つのディスプレイ・タイル２０４（１）から２０４（４）から構成される、より大型の複合ディスプレイの一部２００である、ディスプレイ・モザイクを示す。図２Ａ及び図２Ｂの例において、コネクタ・ビスケット２０８（１）から２０８（４）及び陥凹レセプタクル２１２（１）から２１２（１６）のサイズ及び形状は、特に、隣接する周縁部２１６と平行な方向での、タイル２０４（１）から２０４（４）などの隣接するディスプレイ・タイル（混乱を避けるためにいくつかのみがラベル付けされる）間の遊びの量を最小限にする、かなりのタイト・フィットを作成するように、注意深く選択及び形成される。これにより、タイル２０４（１）から２０４（４）などのディスプレイ・タイルを、互いに正確に位置合わせすることが可能であり、これは高品質の複合ディスプレイを提供するために不可欠であり得、たとえ小さなオフセットであってもディスプレイ上に表示される画像を視覚的に損なう可能性がある。図２Ａ及び図２Ｂは、各々が別のディスプレイ・タイル（図示せず）、或いは、とりわけビデオ・コントローラ、データ・ソース、及び／又は電源などの全ビデオ・ディスプレイ・システムの他の構成要素（図示せず）に、動作可能に（ここでは電気的に）接続されるのを待機している、ディスプレイ・タイルのうちの３つ、ここではディスプレイ・タイル２０４（１）、２０４（２）、及び２０４（３）と係合した４つの追加のコネクタ・ビスケット２０８（５）から２０８（８）も示している。各ディスプレイ・タイル２０４（１）から２０４（４）は、各周縁部２１６上に単一の陥凹レセプタクル２１２（１）から２１２（１６）を有するように示されているが、前述のように、各周縁部には特定の設計に合うように必要に応じて２つ以上の陥凹レセプタクルが提供され得ることに留意されたい。
【００３３】
[0031]  図３Ａ及び図３Ｂは、図１Ａ及び図１Ｂのコネクタ・ビスケット１２４（１）及び１２４（２）、並びに図２Ａ及び図２Ｂのコネクタ・ビスケット２０８（１）から２０８（８）の各々と同じか又は同様である、コネクタ・ビスケット３００の特徴を示す。図３Ａに見られるように、本実施形態において、コネクタ・ビスケット３００は、ビスケットの各端部上に１６のリーフ・スプリング・タイプの電気接点３１２（混乱を避けるためにいくつかのみがラベル付けされる）を提供する電導体をサンドイッチするようにまとめて固定された、前部及び背部のハウジング構成要素３０４及び３０８を含む。前述のように、コネクタ・ビスケット３００の全体のサイズ、形状、及び構成は、問題の電子モジュール、及び所望の場合、こうしたモジュールの全モザイク状システムの任意の追加の構成要素上で、図１Ａ及び図１Ｂの陥凹レセプタクル１２０（１）から１２０（４）及び図２Ａ及び図２Ｂの陥凹レセプタクル２１２（１）から２１２（１６）などの対応する陥凹レセプタクルをぴったり係合するように、選択及び形成することができる。いくつかの実施形態において、コネクタ・ビスケット３００の向かい合う端部上の対応する電気接点３１２の各ペアは、互いに電気的に通信可能であるが、１６の別々の信号経路を提供するために、電気接点の各々の他のペアからは電気的に絶縁することができる。他の実施形態において、コネクタ・ビスケット３００の一方の端部上にある１６の電気接点３１２のうちのいくつか又はすべてを、全モザイク状システムの設計要件に応じて、ビスケットの他方の端部上の１６の電気接点に、１つ以上のグループで電気的に接続することができる。例を図８に関連して以下で説明する他の実施形態において、インターフェース・ポイント（例えば電気接点３１２）の様々な１つ又はすべてを、とりわけ、マイクロプロセッサ、信号プロセッサ、ワイヤレス通信デバイス、及びそれらの任意の組み合わせなどであるが、これらに限定されない、コネクタ・ビスケットにオンボードで配置された１つ以上の電子構成要素に接続することができる。図３Ｂは、コネクタ・ビスケット３００のこの実施形態を、コネクタ・ビスケットが使用のために配設された場合、支持構造（図示せず）に対面する背部ハウジング構成要素３０８に固定された磁石３１６を含むように示す。
【００３４】
[0032]  図示された実施形態において、コネクタ・ビスケット３００は、コネクタ・ビスケットとその電気レセプタクルとの間に精密なフィットを実施するためにその間のギャップが最小又は全く無いそれぞれ図１Ｂ及び図２Ｂの同様の表面１４４及び２２０などの、陥凹レセプタクル内の同様の表面に対面するように設計及び構成された外側面３２０などの外側面を含む。このように、及び、ディスプレイ・タイル（例えば、図１Ａ、図１Ｂ、図２Ａ、図２Ｂ、図４、及び図７Ａ〜図７Ｄの、ディスプレイ・タイル１００、２０４（１）から２０４（４）、４１２（１）から４１２（９）、７０４（１）から７０４（４）、及び７２４（１）から７２４（４））などの隣接する離散電子モジュールと共に使用される場合、コネクタ・ビスケット３００と対合レセプタクルとの十分な係合は、コネクタ・ビスケットによってまとめて接続された電子モジュール間の適切な縁部位置合わせ及び／又はギャップを保証することができる。
【００３５】
[0033]  コネクタ・ビスケット３００は２つのハウジング構成要素３０４及び３０８を有するように示されているが、他の実施形態において、一体型成形された構築物、又はより多い、より少ない、及び／又は異なるタイプの、ハウジング構築物を有する構築物などの別の構成を有し得ることに留意されたい。他の実施形態において、磁石３１６は、なくすか、或いは、とりわけ接着ベースの留め付け手段、面ファスナ・ベースの留め付け手段、又はスナップ・フィット機構コネクタなどの別のタイプの留め付け手段に置き換えることができる。更に他の実施形態において、電気接点３１２は、とりわけ平面接点、ソケット接点、及びピン接点などの別のタイプの電気接点に置き換えること、及び／又は、任意の好適な数で提供すること、或いは、とりわけ、光インターフェース・ポイント、ＲＦインターフェース・ポイント、マイクロ波インターフェース・ポイント、又は磁気インターフェース・ポイントなどの別のタイプのインターフェース・ポイントに置き換えることが可能である。加えて、多くの他の形状が可能であるため、特定形状の例示のコネクタ・ビスケット３００は単なる例であり非限定的である。
【００３６】
[0034]  図４は、本発明のいくつかの重要な特徴及び態様を示すディスプレイ・モザイク・システム４００を示す。この例では、ディスプレイ・モザイク・システム４００は、とりわけ、湾曲した壁、円筒形の建物の柱、又は自立式の湾曲したパイロンなどの湾曲構造４０４に適用される。ディスプレイ・モザイク・システム４００は、１）湾曲したプレート・タイプの支持構造４０８、２）支持構造に磁気的に付着し、ディスプレイ・モザイク４１６を形成するために互いに電気的に接続された、複数の同一湾曲のディスプレイ・タイル４１２（ここでは９つのディスプレイ・タイル４１２（１）から４１２（９）が少なくとも部分的に見られる）、３）幅木スタイルの電力／制御システム４２０、及び、４）電力／制御システムをディスプレイ・モザイクに電気的に接続する、ビスケット・エクステンダ４２４を含む。本明細書及び添付の特許請求の範囲で使用されるように、「電力／制御システム」という用語は、その機能が、例えばディスプレイ・タイル４１２が単なる単純な光源である場合、ディスプレイ・モザイク４１６に電力のみを提供することから、電力及び１つ以上のタイプの制御信号の両方をディスプレイ・タイルに提供することまで及ぶことが可能な、電力及び／又は制御システムを意味する。制御信号は、任意の種類のビデオ・ディスプレイ制御信号、並びに、ディスプレイ・タイル４１２のうちの１つ以上が異なる色の光を制御可能に放射するように構成される場合などの単純な色制御信号を含む。
【００３７】
[0035]  示された実施形態において、支持構造４０８はディスプレイ・タイル４１２が支持構造に付着する様式に好適な任意の１つ以上の材料で作成される。例えば、ディスプレイ・タイル４１２が磁力によって支持構造４０８に付着する場合、支持構造は、ディスプレイ・タイルが磁石を有する場合、スチール又は他の非磁性化強磁性材料のシートとすることができる。ディスプレイ・タイル４１２が、接着剤、面ファスナ、又は他の機械的ファスナなどの他の手段によって、支持構造４０８に付着する場合、支持構造はそれに従って構成可能である。
【００３８】
[0036]  各ディスプレイ・タイル４１２は、ディスプレイ・モザイク４１６の性質に応じて、任意のタイプのディスプレイ・タイルとすることができる。例えばディスプレイ・モザイク４１６は、単一の大型ディスプレイとして、又は、複数の小型ディスプレイとして動作する、複合ディスプレイとすることが可能であり、各小型ディスプレイは、グループとして動作するディスプレイ・タイル４１２のうちの１つ以上で構成される。別の例として、ディスプレイ・モザイク４１６は、単一の大型イルミネーション・モザイクとして、又は、複数の小型イルミネーション・モザイクとして動作する、イルミネーション・モザイクとすることが可能であり、各小型モザイクは、グループとして動作するディスプレイ・タイル４１２のうちの１つ以上で構成される。図１Ａから図３Ｂのコネクタ・ビスケット１２４（１）、１２４（２）、２０８（１）から２０８（８）、及び３００、並びに上記の概要の項で説明したコネクタ・ビスケットなどの前述のコネクタ・ビスケットの趣旨では、ディスプレイ・タイル４１２はコネクタ・ビスケット４２８を介してまとめて動作可能に接続され、そのうちの４つは、図４の要素４２８（１）から４２８（４）で見ることができる。この湾曲適用例の場合、ビスケットは湾曲構造４０４の湾曲及びモザイク内のビスケットの２つの配向を補償するために異なる湾曲のセットで提供できることを除いて、各コネクタ・ビスケット４２８は一般にすべての他のコネクタ・ビスケットと同じであり得る。例えば、コネクタ・ビスケット４２８（１）及び４２８（３）の各々、及び同様の状況の見えないビスケットはその縦軸に沿った湾曲を有することが可能であり、コネクタ・ビスケット４２８（２）及び４２８（４）の各々、及び同様の見えないビスケットは、その縦軸に垂直な湾曲を有することが可能である。コネクタ・ビスケット４２８の他の特徴及び態様は、本明細書で説明する他のコネクタ・ビスケットの他の特徴及び態様と同じか又は同様とすることができる。
【００３９】
[0037]  図１Ａから図２Ｂの例示のディスプレイ・タイル１００及び２０４（１）から２０４（４）と同様に、この例におけるディスプレイ・タイル４１２の各々は、形状が矩形であるが湾曲しており、４つの陥凹レセプタクル４３２を有し、そのうちの４つは、そのタイルの周縁部４１２Ａ（混乱を避けるためにいくつかのみがラベル付けされる）の各々に１つ、要素４３２（１）から４３２（４）で見ることができる。各陥凹レセプタクル４３２は、構造４０４の湾曲及びコネクタ・ビスケット４２８の対応するそれぞれに整合するように、適切な方向に湾曲させることができる。各陥凹レセプタクル４３２は、図１Ａから図２Ｂ及び概要の項で前述した、陥凹レセプタクル１２０（１）から１２０（４）及び２１２（１）から２１２（１６）のいずれかと同じか又は同様とすることができる。陥凹レセプタクル４３２及び対応するコネクタ・ビスケット４２８の構成の利点は、例えば吸着カップ・ツール（図示せず）を使用して、直接近接するディスプレイ・タイルを妨げることなく、個別ディスプレイ・タイル４１２の容易な取り外し及び取り付けが可能であることである。これは、矢印４３６によって示されるように、支持構造の面に対して一般に（支持構造、ここでは支持構造４０８の、任意の湾曲を補償する）垂直な方向にそのディスプレイ・タイル移動させることによって、陥凹レセプタクル４３２の陥凹構成が、各ディスプレイ・タイル４１２をその対応するコネクタ・ビスケット４２８と係合できるようにするためである。したがって、例えば不良又は損傷したディスプレイ・タイル４１２を、完全なディスプレイ・モザイク４１６から容易に取り外して交換することが可能であり、ディスプレイ・モザイクは、ディスプレイ・タイルを取り付けるか又は取り外す任意の特定の順序に関係なく、構築又は分解することができる。
【００４０】
[0038]  幅木スタイルの電力／制御システム４２０は、完成した可住スペースの従来の幅木の外観及び／又は機能を模倣するように設計及び構成可能なハウジング４４０を含む。他の実施形態において、ハウジングは、とりわけ、チェア・レール及びクラウン・モールディングなどの他の従来のトリムの外観及び／又は機能を模倣するように設計及び構成することができることに留意されたい。ハウジング４４０は、その性質に応じてディスプレイ・モザイク４１６を機能させるために必要な、例えばとりわけ電源、ビデオ・コントローラ、及び／又は色コントローラなどの電力／制御デバイス（図示せず）のうちのいずれか又はすべてを収容することができる。電力／制御システム４２０は、対応するコネクタ・ビスケット、ここでは好適な湾曲を有するコネクタ・ビスケット４２８のうちの１つを、受け取るように設計及び構成された１つ以上の陥凹レセプタクル４４４を含むことができる。いくつかの実施形態において、提供された陥凹レセプタクル４４４は、インストーラが陥凹レセプタクル４４４のうちの所望の１つを、電力／制御システム４２０が接続されることになるディスプレイ・タイルのうちの１つの上の対応する陥凹レセプタクル４３２と位置合わせできるようにするために、例えば所定の移動範囲内をハウジング４４０の長さに沿って移動可能であり得る。例えばこれは、各陥凹レセプタクル４４４をハウジング内部の電子回路に接続するために、ハウジング４４０内のフレキシブルな電気導管（図示せず）を使用すること、並びに、こうした導管に移動のために十分な長さ及び余裕を提供することによって達成され得る。加えて、各々のこうした移動可能な陥凹レセプタクル４４４を、ハウジング４４０を閉じるために、固定されたハウジング・クロージャ４５２の上又は下に重なる電気レセプタクルのいずれかの側上の、横方向に移動可能なハウジング・クロージャ４４８に結合することができる。
【００４１】
[0039]  ビスケット・エクステンダ４２４は、この例では、ディスプレイ・モザイク４１６と電力／制御システム４２０との間のスペースＳの両端間に電力／信号を搬送するのに使用される。とは言え、他の実施形態では、ディスプレイ・モザイク４１６は電力／制御システム４２０のハウジング４４０に隣接するように配置可能であり、この場合、コネクタ・ビスケット４２８のうちの１つのみを使用する必要があることに留意されたい。しかしながら、スペースＳが存在する場合、２つのこうしたコネクタ・ビスケット４２８はビスケット・エクステンダ４２４と共に使用される。ビスケット・エクステンダ４２４は、同じコネクタ・ビスケット４２８が使用できるように、各々、陥凹レセプタクル４３２のうちの同様のものと同一の対応する陥凹レセプタクル（隠れている）を有する、第１及び第２の端部４２４（１）及び４２４（２）を有する。各電気レセプタクル４３２は、導電性リボン４６０に固定された、好適なエンド・ハウジング４５６（１）及び４５６（２）に含めることが可能である。この例では、各陥凹レセプタクル内の１６の電気接点（図示せず）に対応する１６の電導体（見えない）を含む。支持構造４０８が非磁性化強磁性材料を備えていない場合、各エンド・ハウジング４５６（１）及び４５６（２）は、そのエンド・ハウジングを支持構造に付着させる１つ以上の磁石（図示せず）を含むことができる。他の実施形態において、前述の付着手段のいずれかなどの他の付着手段を使用して、各エンド・ハウジング４５６（１）及び４５６（２）を支持構造４０８に付着させることができる。支持構造が非磁性化強磁性材料を含む場合、導電性リボン４６０を支持構造４０８に対して平らに維持するために、導電性リボンはフラット・シート磁石（図示せず）又は他のタイプの磁石を含むことができる。他の実施形態において、接着剤、面ファスナ、又は他のタイプのファスナなどの別のタイプの付着手段を使用することができる。エンド・ハウジング４５６（１）及び４５６（２）のうちの１つ又は両方は、ユーザが導電性リボン４６０を必要な長さに切断した後、電導体に電気的に接触させるために導電性リボンの絶縁層４６４を貫通する１６の接触ブレード（図示せず）を使用するなど、対応する陥凹レセプタクル内の電気接点（図示せず）を導電性リボン内の電導体に電気的に自己接続させるように、エンド・ハウジングを導電性リボンに固定できるようにする、タイプとすることができる。
【００４２】
[0040]  図５は、図１Ａ、図１Ｂ、図２Ａ、図２Ｂ、及び図４のディスプレイ・タイル１００、２０４（１）から２０４（４）、及び４１２（１）から４１２（９）（図４の幅木スタイルの電力／制御システム４２０の場合など）、並びに、上記の概要の項で説明したディスプレイ・タイルなどの本開示のディスプレイ・タイル及び／又は他の離散電子モジュールと共に使用可能な、例示の電子回路隠し仕上げトリム・アセンブリ５００を示す。図５の仕上げトリム・アセンブリ５００などの本開示の仕上げトリム・アセンブリを使用して、離散電子回路モジュール（図示せず）にオンボードで配置されない、電子回路構成要素５０４（１）及び５０４（２）などのいずれか又はすべての電子回路構成要素５０４を隠すことができる。こうした電子構成要素の例は、電源、ディスプレイ・ドライバ、データ・ソース、色コントローラなど、及びそれらの任意の組み合わせを含むが、これらに限定されない。基本的に、仕上げトリム・アセンブリ５００内に隠すことができる電子回路構成要素のタイプには制約が無い。図５に見られるように、仕上げトリム・アセンブリ５００は、基部５０８、ヒート・シンク５１２、及びカバー５１６を含むことができる。基部５０８は壁又は他の構造５２０に固定可能であり、ヒート・シンク５１２は基部５０８に取り外し可能に固定され、カバー５１６はヒート・シンク及び／又は基部に取り外し可能に固定される。他の実施形態において、ヒート・シンク５１２は基部５０８に熱的に係合すること、又は、支持構造５２０を介して熱を下げるために基部に統合することができる。この例では、基部５０８は、本明細書で図示及び／又は説明されるコネクタ・ビスケットのうちのいずれかと同じか又は同様であり得る、対応するコネクタ・ビスケット（図示せず）を受け取るように設計及び構成された、１つ以上の陥凹レセプタクル５２４を含む。これにより、離散電子モジュールのうちの１つ以上を、いずれの異なるコネクタも必要なしに、仕上げトリム・アセンブリ５００及びその中に隠された電子回路構成要素５０４に接続させることができる。図５に示された仕上げトリム・アセンブリ５００は単なる例であり、その同様の仕上げトリム・アセンブリは、カバーがとりわけキャビティを覆うように、基部なし、及び／又はヒート・シンクを１８０°回転させるなど、異なるように構成できることに留意されたい。加えて、陥凹レセプタクル５２４が提供される場合は、その各々をヒート・シンクなどの異なる構成要素内に提供することができる。当業者であれば、本開示の仕上げトリム・アセンブリが実行可能な様々な方法を容易に理解されよう。
【００４３】
[0041]  他の実施形態において、図５の仕上げトリム・アセンブリ５００などの仕上げトリム・アセンブリ内に隠すことができるいずれか又はすべての電子回路を、別の様式で提供することができる。例えばこうした電子回路は、対応するディスプレイ・タイルをディスプレイ・タイルのうちの任意の１つ以上に隣接するように指示する同じ支持構造にマウントする、１つ以上の電子回路モジュール内に提供することができる。こうした実施形態において、電子回路モジュールは各々、個別のディスプレイ・タイルのフォーム・ファクタと同じか又は同様のフォーム・ファクタを有することができるか、又は代替として、フォーム・ファクタは、電子回路モジュールを、対応するモザイク状ディスプレイについて、外周フレーム部材、例えば側部フレーム部材、底部フレーム部材、及び上部フレーム部材のうちの任意の１つ以上を形成するように出現させるフォーム・ファクタなど、異なるものとすることができる。電子回路モジュールが１つ以上のディスプレイ・タイルに隣接することにより、電子回路モジュールのうちのいずれか１つ又はすべては、個別のディスプレイ・タイルが互いに動作可能に接続されるのと同様に、１つ以上のコネクタ・ビスケットを介してディスプレイ・タイルに動作可能に接続することができる。
【００４４】
[0042]  図６は、例えば図４のビスケット・エクステンダ４２４の代わりに使用可能な、フレキシブル電気コネクタ６００を示す。図６を参照すると、フレキシブル電気コネクタ６００は、導電性リボン６０８を介して互いに電気的に接続された、同一の第１及び第２のエンド・コネクタ６０４（１）及び６０４（２）を含む。この例では、各エンド・コネクタ６０４（１）及び６０４（２）は、電気接点６１２（混乱を避けるためにいくつかのみがラベル付けされる）又は他のインターフェース・ポイントの数及びスタイルに関して、図３Ａ及び図３Ｂのコネクタ・ビスケット３００の半分と同一である。１６の電気接点６１２が互いに電気的に絶縁されている状態で、導電性リボン６０８は、互いに電気的に絶縁された１６の電導体の対応するセット（図示せず）を含む。各エンド・コネクタ６０４（１）及び６０４（２）は、電気接点を適所に保持し、導電性リボン６０８の端部（見えない）及びそれらの間の電気的接続を含む、ハウジング６０４（１）Ａ及び６０４（２）Ａを有するものとみなすことができる。図４のビスケット・エクステンダ４２４と同様に、エンド・コネクタ６０４（１）及び６０４（２）のうちの少なくとも１つは、ユーザが導電性リボン６０８を任意の所望の長さに切断した後、電気接点６１２へのリボン内部の電導体間の電気的接続を完了するように、エンド・コネクタを導電性リボンに固定できるようなものとすることができる。非磁性化強磁性支持構造を有するモザイク・システムの場合の、図示された実施形態において、各エンド・コネクタ６０４（１）及び６０４（２）は、フレキシブル電気コネクタ６００を支持構造に対して保持するための永久磁石６１６を含む。導電性リボン６０８は、任意選択で、導電性リボンを支持構造に対して平らに保持するのを支援するために、１つ以上の永久磁石６２０を含むことができる。前述のように、他の実施形態において、永久磁石６１６及び６２０は、面ファスナ、接着パッチ、接着テープ、機械的ファスナなどの一部などの他の留め付け手段に置き換えることができる。
【００４５】
[0043]  図７Ａから図７Ｄは、４つの異なるモザイク状ディスプレイ７００Ａ、７００Ｂ、７００Ｃ、及び７００Ｄを示し、各々が１つ又は２つのタイプのディスプレイ・タイル、長方形タイプ、及び階段タイプのいずれかで作られる。示されていないが、隣接するディスプレイ・タイルは、図１Ａから図４に示され、概要の項で前述した、コネクタ・ビスケット１２４（１）、１２４（２）、２０８（１）から２０８（８）、３００、及び４２８（１）から４２８（４）のうちのいずれかなどのコネクタ・ビスケットを使用して、互いに電気的に接続され、少なくとも部分的に位置合わせされ得る。例示のモザイク状ディスプレイ７００Ａ、７００Ｂ、７００Ｃ、及び７００Ｄの各々において、ディスプレイ・タイルは磁気タイプであり得、図１Ａから図２Ｂのディスプレイ・タイルと同じか又は同様であり得、コネクタ・ビスケットは図３Ａ及び図３Ｂのコネクタ・ビスケットと同じか又は同様の磁気タイプであり得る。
【００４６】
[0044]  図７Ａは、モザイク状ディスプレイ７００Ａを提供するために、長辺を水平に２つの上に２つを重ねて配置構成された、４つの同様の長方形ディスプレイ・タイル７０４（１）から７０４（４）を示す。各ディスプレイ・タイル７０４（１）から７０４（４）内のボックス７０６Ａ及び７０６Ｂなどの長方形のボックス（混乱を避けるためにいくつかのみがラベル付けされる）は、とりわけ、ディスプレイ・ドライバ、電力電子回路、及び通信システムなどの電子回路構成要素を表す。当業者であれば、これらの構成要素が、典型的にはディスプレイ・タイル７０４（１）から７０４（４）の各々のディスプレイ表面（図示せず）の背後に位置し、ディスプレイ・タイルの潜在的な電子回路の複雑さを例示するために示されるものであることを容易に理解されよう。図７Ａ〜図７Ｄ全体を通じて、ラベル付けされていない同様のボックスは、同様の電子回路構成要素を示す。前述のように、ディスプレイ・タイル７０４（１）から７０４（４）はまとめて電気的に接続され、隣接／対面する縁部（太線７０８で示す）は、本開示の他の部分で表示及び／又は説明されるコネクタ・ビスケットのいずれかと同じか又は同様であり得るコネクタ・ビスケット（隠れている）を使用して、互いに位置合わせされる。この例では、ディスプレイ・タイル７０４（１）から７０４（４）及び相互接続しているコネクタ・ビスケットが、複合ディスプレイの外形と同じ形状を有し得る支持シート７１２に付着される。支持シート７１２は、図示するためにモザイク状ディスプレイ７００Ａのサイズよりもわずかに大きいサイズを有するように示されていることに留意されたい。いくつかの実施形態において、支持シート７１２のサイズは、「よりクリーン」に見えるようにモザイク状ディスプレイ７００Ａのサイズと同じか又はより小さいものとすることができる。いくつかの実施形態において、支持シート７１２は非磁性化強磁性シートとすることが可能であり、ディスプレイ・タイル７０４（１）から７０４（４）は、例えば前述のいずれかのように、支持構造に磁気的に付着させることができる。いくつかの実施形態において、付着はとりわけ接着剤貼り付け又は機械的ファスナなどの他の手段によって実施可能である。
【００４７】
[0045]  例示のために、図７Ｂは、異なって構成されたモザイク状ディスプレイ７００Ｂを提供するために、並べて配置構成され、図７Ａに示された配向に対して９０°に配向された、同じ４つのディスプレイ・タイル７０４（１）から７０４（４）を示す。図７Ａ及び図７Ｂの構成は、同様のディスプレイ・タイル７０４（１）から７０４（４）の各々の４つの周縁部に沿って対称的に配置された、図１Ａ、図１Ｂ、図２Ａ、図２Ｂ、及び図４の陥凹レセプタクル１２０（１）から１２０（４）、２１２（１）から２１２（１６）、及び４３２、又は前述の他の陥凹レセプタクルと同じか又は同様の陥凹レセプタクル（見えない）が存在するため容易に達成可能である。図７Ａのモザイク状ディスプレイ７００Ａの場合と同様に、図７Ｂのモザイク状ディスプレイ７００Ｂ内のディスプレイ・タイル７０４（１）から７０４（４）の隣接縁部（太線７１６によって示される）は、前述のようにコネクタ・ビスケットを使用して互いに電気的に接続され、少なくとも部分的に位置合わせされる。モザイク状ディスプレイ７００Ｂの他の属性及び特徴は、モザイク状ディスプレイ７００Ａに関連して前述した対応する属性及び特徴と同じであり得、モザイク状ディスプレイ７００Ｂは、例えば同様の形状の支持構造７２０に磁気的に付着され得る。
【００４８】
[0046]  図７Ｃは、２つの上に２つを重ねて配置構成された４つの同様の階段タイプのディスプレイ・タイル７２４（１）から７２４（４）を備えるようなモザイク状ディスプレイ７００Ｃを示す。隣接縁部（太線７２８で示される）は、本開示の他の場所で表示及び／又は説明するコネクタ・ビスケットのいずれかなどのコネクタ・ビスケット（隠れている）を介して互いに電気的に接続される。ディスプレイ・タイル７２４（１）と７２４（２）の間の接続、及びディスプレイ・タイル７２４（３）と７２４（４）との間の接続の場合、互いとの位置合わせはそれらの間のコネクタ・ビスケットによって精密に制御される。この例では、ディスプレイ・タイル７２４（１）から７２４（４）及び相互接続しているコネクタ・ビスケットは、モザイク状ディスプレイ７００Ｃの外形と同じ形状を有し得る、下にある非磁性化強磁性シート７３２と磁気的に係合することができる。
【００４９】
[0047]  図７Ｄは、更に別の、異なって構成されたモザイク状ディスプレイ７００Ｄを提供するために、並べて配置構成された、図７Ａ及び図７Ｂの２つの矩形ディスプレイ・タイル７０４（１）及び７０４（２）、並びに図７Ｃの２つの階段タイプのディスプレイ・タイル７２４（１）及び７２４（２）を示す。隣接縁部（太線７３６によって示される）は、本明細書の他の場所で説明するコネクタ・ビスケットなどのコネクタ・ビスケット（隠れている）を使用して、互いに電気的に接続され、少なくとも部分的に位置合わせされる。この例では、ディスプレイ・タイル７０４（１）、７０４（２）、７２４（１）、及び７２４（２）、並びに相互接続しているコネクタ・ビスケットは、モザイク状ディスプレイ７００Ｄの外形と同じ形状を有し得る、下にある非磁性化強磁性シート７４０と磁気的に係合することができる。これらは、本開示の離散電子モジュール及び電気的ビスケット・コネクタを使用して可能な事実上無数の配置構成のうちのごくわずかである。
【００５０】
[0048]  図８は、信号処理（例えば調整、変換、増幅など）、信号ルーティング、電力変換（例えばステッピング電圧／電流）、及び電力分散、直列化、非直列化、オフボード・コントローラとの通信、他のコネクタ・ビスケットとの通信、及びそれらの任意の組み合わせを含むがこれらに限定されない、様々な機能のうちの任意の１つ以上をコネクタ・ビスケットに提供するためのオンボード電子回路８０４を有する、例示のアクティブ・コネクタ・ビスケット８００を示す。これに対応して、オンボード電子回路８０４の例は、設計者がコネクタ・ビスケット８００に提供する任意の特定の機能又は機能のセットを満足させるために必要な１つ以上の信号プロセッサ、１つ以上の信号ルータ、１つ以上の電力変換器、１つ以上の直列化器、１つ以上の非直列化器、１つ以上の電力分散システム、及び１つ以上の通信デバイス（ＲＦ、マイクロ波、又は光の送信器、受信器、又はトランシーバ）、並びにそれらの任意の組み合わせを含むがこれらに限定されない。基本的に、この他にコネクタ・ビスケット８００に物理的に組み込むことが可能なオンボード電子回路８０４の性質及び特徴には制限がない。オンボード電子回路８０４は、コネクタ・ビスケット８００にオンボードに配置された１つ以上のワイヤード又は一又は複数のワイヤレス電源（図示せず）などの任意の好適な様式で電力を供給することができる。
【００５１】
[0049]  コネクタ・ビスケット８００が配設された、本明細書で開示されたシステムのうちのいずれか１つなどのディスプレイ・モザイク・システムの動作原理に応じて、コネクタ・ビスケット８００は、例えば処理、調整、直列化、非直列化などのために、１つ以上の対応する信号を、直接すなわちオンボード電子回路８０４を「バイパス」することによって、又は、オンボード電子回路を介して間接的に通過するゼロ以上のパススルー・チャネル８０８を含むことができる。追加又は代替として、コネクタ・ビスケット８００は、各々がオンボード電子回路８０４のすべて又は一部を作り上げるオンボード受信器（トランシーバ）、オンボード電源、及び／又はワイヤレス電源などからの１つ以上の信号を、コネクタ・ビスケットが動作可能に接続された、本明細書で説明するディスプレイ・タイルのうちの任意の１つ以上などの１つ又は各々のディスプレイ・タイル（図示せず）に搬送する、１つ以上の「ハブ」チャネル８１２を含むことができる。パススルー・チャネル８０８及び受信タイプのハブ・チャネル８１２のうちの一方、他方、又は両方に対する追加又は代替として、コネクタ・ビスケット８００は、各々が１つ以上の信号を、コネクタ・ビスケットが動作可能に接続された１つ又は各々のディスプレイ・タイル（図示せず）から、オンボード電子回路のすべて又は一部を作り上げるオンボード送信器（トランシーバ）に搬送する、ゼロ以上の送信タイプのハブ・チャネル（ハブ・チャネル８１２によっても表される）を含むことができる。
【００５２】
[0050]  コネクタ・ビスケット８００とコネクタ・ビスケットが動作可能に通信する各ディスプレイ・タイル（図示せず）との間のすべての信号及び／又は電力通信は、コネクタ・ビスケットが動作可能に接続されたディスプレイ・タイル上の対応するインターフェース・ポイント（図示せず）と動作可能に整合する、インターフェース・ポイント８１６（１）から８１６（４）及び８２０（１）から８２０（４）などの１つ以上のインターフェース・ポイントを介することができる。インターフェース・ポイント８１６（１）から８１６（４）及び８２０（１）から８２０（４）の各々／いずれかに好適な、インターフェース・ポイントの例は、とりわけ、ワイヤード・モード用の電気接点、光モード用の光エミッタ及び対応する光検出器、ＲＦモード用のＲＦ送信器及び受信器、マイクロ波モード用のマイクロ波送信器及び受信器、並びに、磁気誘導モード用の電磁石及び誘導コイルを含むが、これらに限定されない。当業者であれば、任意の選択した通信及び／又は電力伝送モード用に、コネクタ・ビスケット８００上に動作可能に整合されたインターフェース・ポイント８１６（１）から８１６（４）及び８２０（１）から８２０（４）をどのように実装するかを、容易に理解されよう。
【００５３】
[0051]  図９Ａ及び図９Ｂは、より大型のモザイク状ディスプレイ（図示せず）の一部を形成するために５つのコネクタ・ビスケット９０４（１）から９０４（５）を使用してまとめてモザイク状にされた、４つのディスプレイ・タイル９００（１）から９００（４）を示す。ディスプレイ・タイルを、他のディスプレイ・タイル、並びに／或いは、電力及び／又はドライバ・モジュールなどの他のタイプの電子モジュール（図示せず）と相互接続するために、４つの追加のコネクタ・ビスケット９０４（６）から９０４（９）が、ディスプレイ・タイル９００（１）から９００（４）のうちの対応するそれぞれと係合されて示されている。この例では、各コネクタ・ビスケット９０４（１）から９０４（９）は１本の対象軸のみを有し、ここではコネクタ・ビスケット９０４（１）の垂直軸９０４（１）Ｖ（図９Ｂ）などのその垂直軸である。各コネクタ・ビスケット９０４（１）から９０４（９）は、コネクタ・ビスケット９０４（１）の水平軸９０４（１）Ｈ（図９Ｂ）などのその水平軸に関して非対称である。これはこの特定の設計におけることであり、ディスプレイ・タイル９００（１）から９００（４）が、タイルのいずれの縁部が上部に来るかを示すディスプレイ・タイル上の矢印９０８（１）から９０８（４）（図９Ｂ）によって示される特定の配向で配設されるように設計及び構成されるためである。これに対応して、ディスプレイ・タイル９００（１）から９００（４）の上方コーナーにある上方陥凹レセプタクル９１２（１）から９１２（８）、及びディスプレイ・タイルの下方コーナーにある下方陥凹レセプタクル９１６（１）から９１６（８）は、ディスプレイ・タイルを互いに適切に位置合わせするために対応するコネクタ・ビスケット９０４（１）から９０４（９）の対応するそれぞれの部分をぴったりと係合させるように、好適にサイズ決定及び形状化される。この例では具体的に、コネクタ・ビスケットの長い方の部分を収容するために、各上方陥凹レセプタクル９１２（１）から９１２（８）は、各下方陥凹レセプタクル９１６（１）から９１６（８）よりも長い。
【００５４】
[0052]  この例では、コネクタ・ビスケット９０４（１）から９０４（９）は互いに同一であり、各々が、４つのディスプレイ・タイル（同様のディスプレイ・タイル９００（１）から９００（４））又は４つより少ないディスプレイ・タイル及び１つ以上の他の電子モジュールとインターフェースするための、４つのインターフェース・ポイント９２０（１）から９２０（４）（便宜上いくつかのみがラベル付けされる）を含む。更にこの例では、各インターフェース・ポイント９２０（１）は、各々の陥凹レセプタクル９１２（１）から９１２（８）及び９１６（１）から９１６（８）内の２４の整合接点部材と電気的に接触するための、２４の接点部材を有する、多接点電気コネクタを含む。インターフェース・ポイント９２０（１）から９２０（４）の電気的接続は、ディスプレイ・タイル９００（１）から９００（４）の設計自体、並びに、それらが一部分である全モザイク状ディスプレイ・システム（図示せず）に依存する。当業者であれば、設計パラメータに従ってインターフェース・ポイント９２０（１）から９２０（４）を互いにどのように相互接続するか、及び／又は、オンボード電子回路（図示せず）があれば、これらとインターフェース・ポイントを本明細書の他の場所で説明するいずれかの様式などでどのように接続するかを、容易に理解されよう。
【００５５】
[0053]  図１０は、コーナー接続されたディスプレイ・タイル、ここではディスプレイ・タイル１０００（１）から１０００（４）の別の構成を示し、ディスプレイ・タイルを相互接続するために使用されるコネクタ・ビスケット、ここではコネクタ・ビスケット１００４（１）から１００４（９）は、それらの重心に関して回転対称である。これに対応して、各ディスプレイ・タイル１０００（１）から１０００（４）は４つの陥凹レセプタクル１００８（１）から１００８（１６）を含み、その各々は、ディスプレイ・タイル１０００（１）の対角線１０００（１）Ａ及び１０００（１）Ｂなどの対応するタイル対角線に関して物理的に対称である。この例では、コネクタ・ビスケット１００４（１）から１００４（９）は互いに同一であり、各々が４つのディスプレイ・タイル（同様のディスプレイ・タイル１０００（１）から１０００（４））又は４つより少ないディスプレイ・タイル及び１つ以上の他の電子モジュールとインターフェースするための、４つのインターフェース・ポイント１０１２（１）から１０１２（４）（便宜上、いくつかのみがラベル付けされる）を含む。この例では各インターフェース・ポイント１０１２（１）から１０１２（４）は、各々の陥凹レセプタクル１００８（１）から１００８（１６）内の２４の整合接点部材と電気的に接触するための２４の接点部材を有する多接点電気コネクタを含む。インターフェース・ポイント１０１２（１）から１０１２（４）の電気的接続は、ディスプレイ・タイル１０００（１）から１０００（４）の設計自体、並びに、それらが一部分である全モザイク状ディスプレイ・システム（図示せず）に依存する。当業者であれば、設計パラメータに従ってインターフェース・ポイント１０１２（１）から１０１２（４）を互いにどのように相互接続するか、及び／又は、オンボード電子回路（図示せず）があれば、これらとインターフェース・ポイントを本明細書の他の場所で説明するいずれかの様式などでどのように接続するかを、容易に理解されよう。
【００５６】
[0054]  上記は、本発明の例示の実施形態の詳細な説明である。本明細書及び添付の特許請求の範囲において、「Ｘ、Ｙ、及びＺのうちの少なくとも１つ」及び「Ｘ、Ｙ、及びＺのうちの１つ以上」という句で使用されるような接続語の言い回しは、別段に明記又は指示されていない限り、接続リスト内の各項目がリスト内のあらゆる他の項目を除く任意数で、或いは、その各々も任意数で存在可能な接続リスト内のいずれか又はすべての他の項目と組み合わせた任意数で存在可能であることを意味するものと解釈されるべきであることに留意されたい。この一般規則を適用し、接続リストがＸ、Ｙ、及びＺからなる前述の例における接続句は、各々が、Ｘのうちの１つ以上と、Ｙのうちの１つ以上と、Ｚのうちの１つ以上と、Ｘのうちの１つ以上及びＹのうちの１つ以上と、Ｙのうちの１つ以上及びＺのうちの１つ以上と、Ｘのうちの１つ以上及びＺのうちの１つ以上と、Ｘのうちの１つ以上、Ｙのうちの１つ以上、及びＺのうちの１つ以上とを、包含するものとする。
【００５７】
[0055]  様々な修正及び追加は、本発明の趣旨及び範囲から逸脱することなく実行可能である。前述の様々な実施形態の各々の特徴は、関連付けられた新しい実施形態において多様な特徴の組み合わせを提供するために、必要に応じて他の説明した実施形態の特徴と組み合わせることができる。更に上記ではいくつかの別々の実施形態を説明しているが、本明細書で説明する内容は本発明の原理の適用例の単なる例である。加えて、本明細書の特定の方法は、特定の順序で実行されるように例示及び／又は説明可能であるが、この順序付けは本開示に従った方法、システム、及びソフトウェアを達成するための通常の技術内でかなりの可変性がある。したがって本説明は単なる例であり、本発明の範囲を限定するものではないことを意味する。
【００５８】
[0056]  以上、例示の実施形態を開示し、添付の図面内に例示してきた。当業者であれば、本発明の趣旨及び範囲から逸脱することなく、本明細書で具体的に開示した内容に対する様々な変更、省略、及び追加が実行可能であることを理解されよう。
【図１Ａ】
2017062454.tif 000003
【図１Ｂ】
2017062454.tif 000004
【図２Ａ】
2017062454.tif 000005
【図２Ｂ】
2017062454.tif 000006
【図３Ａ】
2017062454.tif 000007
【図３Ｂ】
2017062454.tif 000008
【図４】
2017062454.tif 000009
【図５】
2017062454.tif 000010
【図６】
2017062454.tif 000011
【図７Ａ】
2017062454.tif 000012
【図７Ｂ】
2017062454.tif 000013
【図７Ｃ】
2017062454.tif 000014
【図７Ｄ】
2017062454.tif 000015
【図８】
2017062454.tif 000016
【図９Ａ】
2017062454.tif 000017
【図９Ｂ】
2017062454.tif 000018
【図１０】
2017062454.tif 000019
【外国語明細書】
2017062454000001.pdf